(57)【要約】【課題】本発明の課題は、高所の作業現場にある２地点間で、それを結ぶ間や、地面上に邪魔な物体があっても、これらに邪魔されずに、作業者の安全を確保するための親綱を張る手段を提供する。【解決手段】本発明では、親綱付設用飛翔体打出具、飛翔体、飛翔体受け具、補助糸クランパを用いて親綱張りシステムを構成している。【選択図】図１
2008223308.tif 000002
【特許請求の範囲】
【請求項１】
工事現場の２地点間に、作業員の落下事故を防止する親綱を張るための補助糸を通し、親綱を手繰り張設するための補助糸クランパであって、前記補助糸クランパは、親綱を結接する結接部と、2つの板面間に摩擦体を有し、前記2つの板面を閉じるように合わせたときには、前記摩擦体を介して前記補助糸を滑らないように固定でき、前記2つの面を開いたときには、前記補助糸は開放されるようにし、前記補助糸を滑らないように固定された状態で前記補助糸を手繰ることで、前記補助糸クランパを手繰り寄せ、前記補助糸クランパについた前記親綱を手繰り寄せることを可能とする親綱張り用補助糸クランパ。
【請求項２】
前記補助糸クランパは、前記2つの板面の一端がお互い自在に回転可能な回転結合部を有し、他端は固定のための噛み合いを有することで、前記2つの板面の開閉の動作を容易にした請求項１記載の補助糸クランパ。
【請求項３】
前記補助糸クランパを手繰る場合に途中での引っかかりを防ぐために前記補助糸クランパを覆うためのものであって、補助糸を通すための割れ目を有し、進行方向に細くなった流線型の形状を有することを特徴とする請求項１又は請求項２記載の補助糸クランパ用のカバー。
【請求項４】
工事現場の２地点間に、作業員の落下事故を防止する親綱を張るための補助糸を通し、親綱を手繰り張設するための飛翔体であって、前記飛翔体を飛ばす銃口に挿入される芯棒と飛翔を効果的にし、飛翔し当たった場合の衝撃を和らげるための先端が曲面を有する矢先部を有し、前記芯棒の先端には、補助糸を取り付ける補助糸取付部を有し、前記矢先部に、まっすぐな飛翔を助ける飛翔補助部を有することを特徴とする親綱張り用飛翔体。
【請求項５】
前記飛翔補助部は、斜めに付いた羽根を有し、前記芯棒とは前記矢先部が回転自在の構造を有することで、前記矢先部が回転しまっすぐな飛翔を助けることを特徴とする請求項４記載の親綱張り用飛翔体。
【請求項６】
前記飛翔補助部は、前記飛翔体の飛翔する速度において、前記飛翔体の自重に見合う浮力を得るほどの大きさの浮揚面を有する浮揚体であることを特徴とする請求項４記載の親綱張り用飛翔体。
【請求項７】
工事現場の２地点間に、作業員の落下事故を防止する親綱を張るための補助糸を通し、親綱を手繰り張設するための飛翔体受け具であって、前記飛翔体を受けるための袋又は網を有する飛翔体受け部と、これを作業者が支える支持棒を有する親綱張り用飛翔体受け具。
【請求項８】
工事現場の２地点間に、作業員の落下事故を防止する親綱を張るための補助糸を通し、親綱を手繰り張設するための飛翔体受け具であって、２本の棒間に張られたシートと前記2本の棒に付ける複数の網付け具と前記網付け具を利用して張設する網を有し、網の目は、飛翔体が通過できる以上の大きさにしたことで、前記飛翔体が前記シートに当たった後、前記シートと前記網の間に落ちるようにして、前記飛翔体の受けを容易にしたことを特徴とする飛翔体受け具。
【請求項９】
前記飛翔体を受け取った後に、前記補助糸を手繰り寄せることを容易にする巻取り部を有することを特徴とする請求項７又は請求項８記載の飛翔体受け具。
【請求項１０】
工事現場の２地点間に、作業員の落下事故を防止する親綱を張るための補助糸を通し、親綱を手繰り張設するための飛翔体を打ち出す飛翔体打出具であって、前記飛翔体を打ち出すためのスライド部とこれを滑らかにスライドするためのスライダハウジング部と前記スライド部を前記スライダハウジング部に対して引き動かすためのノブと、前記スライド部を動かしたときに圧縮又は伸張するコイルバネ部と、引き金と、前記引き金を収納する銃握り部とを有し、
前記スライド部を動かしたときに前記引き金によって動く引き金先端が前記スライド部を固定し、前記引き金を引いたときに、前記引き金先端による前記スライド部の固定が外れることで、前記コイルバネ部の復元力により、前記スライド部が動いて、前記スライダハウジング部の銃口から挿入しておいた前記飛翔体を打ち出すことを特徴とする親綱張り用飛翔体打出具。
【請求項１１】
前記スライド部と前記スライダハウジング部を間に配置し、その両側に前記スライド部と前記スライダハウジング部に平行して前記コイルバネ部を設け、前記スライド部と前記コイルバネを前記ノブに結接したことを特徴とする請求項１０記載の親綱張り用飛翔体打出具。
【請求項１２】
前記スライド部は、前記引き金先端がかかるための穴又は凹凸部を有することを特徴とする請求項１０又は請求項１１記載の親綱張り用飛翔体打出具。
【請求項１３】
工事現場の２地点間に、作業員の落下事故を防止する親綱を張るための補助糸を通し、親綱を手繰り張設するための親綱張りシステムであって、前記補助糸を結接する補助糸結接部を有する芯棒と飛翔を助ける矢先部を有する飛翔体と、前記飛翔体を飛ばす飛翔体打出具と、前記飛翔体を飛ばした後に、前記親綱を結接する結接部を有し前記補助糸を挟み固定する補助糸クランパとを有することを特徴とする親綱張りシステム。
【請求項１４】
前記飛翔体を受け取るための飛翔体受け具を有することを特徴とする請求項１３記載の親綱張りシステム。
【発明の詳細な説明】
【技術分野】
【０００１】
本発明は、建設用、特に高所での作業安全を簡便に確保するための親綱を張る各種の補助具と親綱張りシステムに関するものである。  
【背景技術】
【０００２】
親綱を張る部品レベルの補助具は、数多く提案されているが、親綱を張るための綱の導入のための手段の提案はあまり見かけない。親綱を張る一方の端から他方の端までに綱を張るときには、一方の端に綱を結び付け、他方まで、地面を這わせ、他方の端に上ってから、引き上げるか、高所作業車で他方の端に移動するか、一方の先に綱の一端を固定してから長い棒状の治具の先に綱の他方の端を固定して他方の端に移動するかなどの手段を取っている。
【０００３】
特許文献に先行例を見ると、図７は、特許文献１にみる親綱張設用の操作棒の例を示している。張設する現場の高さに対応するように棒の長さが調整できるようになっている。これを２本使い親綱張りの２端で持ち上げ、作業者が親綱を固定すると、高所の２端間に親綱を張設ことができる。但し、この場合は、２端間の高所や、地面に他の物体がある場合は、これらとお互いに障害になることが不都合である。
特許文献２では、親綱ではないが、電線を手繰り寄せる支援装置の例が示されていて、弾性体の反発力を利用して飛翔体を飛ばす例も示されている。両側に電設の作業員がいて、飛翔体についたガイド部材（糸）に電線を結びつけ手繰り寄せることで、電線を張ることを示している。この中に示された飛翔体を飛ばす装置は、ピストル（銃）型のものがあり、
銃自体は、古くからあるので、他のメーカーから市販もされている。特許文献２や市販のものにみる飛翔体を飛ばす装置では、飛翔体を銃口側から押し込んで、弾性体を押し、適当に押し込んだ位置で、引き金による掛け金がかかることで、位置が固定され、引き金を引いて掛け金をはずしたときに弾性体の反発で飛翔体が飛び出すものである。簡単な構造であるが、飛翔体を遠くに飛ばすため、弾性体のバネ定数が大きく、飛翔体を介して押し込むのに力がいること、掛け金がかかる位置までの中間状態では、飛翔体が飛び出す状態なので、安全上の不安がある。このような事情を改善した親綱張りの手段が要求されてきた。
【特許文献１】特開２００２−１５５６３２
【特許文献２】特開平１０−３０９０１６
【発明の開示】
【発明が解決しようとする課題】
【０００４】
上記のような事情から、解決しようとする課題は、従来の親綱張り手段の不都合を克服するものであって、高所の作業現場にある２地点間で、それを結ぶ間や、地面上に邪魔な物体があっても、これらに邪魔されずに、高所の作業現場にある２地点間に作業者の安全を確保するための親綱を通す空間がある限り、簡単、且つ安全に親綱を張る手段を提供するものである。
【課題を解決するための手段】
【０００５】
上記の課題を解決するための手段として、本発明による親綱付設用飛翔体打出具、飛翔体、飛翔体受け具、補助糸クランパを用いて親綱張りシステムを構成している。以下、請求項に沿って説明する。
【０００６】
請求項１記載の発明は、工事現場の２地点間に、作業員の落下事故を防止する親綱を張るための補助糸を通し、親綱を手繰り張設するための補助糸クランパであって、前記補助糸クランパは、親綱を結接する結接部と、2つの板面間に摩擦体を有し、前記2つの板面を閉じるように合わせたときには、前記摩擦体を介して前記補助糸を滑らないように固定でき、前記2つの面を開いたときには、前記補助糸は開放されるようにし、前記補助糸を滑らないように固定された状態で前記補助糸を手繰ることで、前記補助糸クランパを手繰り寄せ、前記補助糸クランパについた前記親綱を手繰り寄せることを可能とする。
【０００７】
請求項２記載の発明は、請求項１記載の補助糸クランパにおいて、前記補助糸クランパは、前記2つの板面の一端がお互い自在に回転可能な回転結合部を有し、他端は固定のための噛み合いを有することで、前記2つの板面の開閉の動作を容易にした。これにより、狭い高所での操作を容易にすることが出来る。
【０００８】
請求項３記載の発明は、請求項１又は請求項２記載の補助糸クランパ用のカバーであって、前記補助糸クランパを手繰る場合に途中での引っかかりを防ぐために前記補助糸クランパを覆うためのものであって、補助糸を通すための割れ目を有し、進行方向に細くなった流線型の形状を有することを特徴とする。これにより、手繰り動作を確実にできる。
【０００９】
請求項４記載の発明は、工事現場の２地点間に、作業員の落下事故を防止する親綱を張るための補助糸を通し、親綱を手繰り張設するための飛翔体であって、前記飛翔体を飛ばす銃口に挿入される芯棒と飛翔を効果的にし、飛翔し当たった場合の衝撃を和らげるための先端が曲面を有する矢先部を有し、前記芯棒の先端には、補助糸を取り付ける補助糸取付部を有し、前記矢先部に、まっすぐな飛翔を助ける飛翔補助部を有することを特徴とする。
これにより、まっすぐ飛ぶ距離を伸ばすことが出来る。
【００１０】
請求項５記載の発明は、請求項４記載の親綱張り用飛翔体において、前記飛翔補助部は、斜めに付いた羽根を有し、前記芯棒とは前記矢先部が回転自在の構造を有することで、前記矢先部が回転しまっすぐな飛翔を助けることを特徴とする。これにより、まっすぐ飛ぶ距離を伸ばすことが出来る。
【００１１】
請求項６記載の発明は、請求項４記載の親綱張り用飛翔体において、前記飛翔補助部は、前記飛翔体の飛翔する速度において、前記飛翔体の自重に見合う浮力を得るほどの大きさの浮揚面を有する浮揚体であることを特徴とする。これにより、まっすぐ飛ぶ距離を伸ばすことが出来る。
【００１２】
請求項７記載の発明は、工事現場の２地点間に、作業員の落下事故を防止する親綱を張るための補助糸を通し、親綱を手繰り張設するための飛翔体受け具であって、前記飛翔体を受けるための袋又は網を有する飛翔体受け部と、これを作業者が支える支持棒を有する。これにより、飛翔体を受ける場合に使用して好都合である。
【００１３】
請求項８記載の発明は、工事現場の２地点間に、作業員の落下事故を防止する親綱を張るための補助糸を通し、親綱を手繰り張設するための飛翔体受け具であって、２本の棒間に張られたシートと前記2本の棒に付ける複数の網付け具と前記網付け具を利用して張設する網を有し、網の目は、飛翔体が通過できる以上の大きさにしたことで、前記飛翔体が前記シートに当たった後、前記シートと前記網の間に落ちるようにして、前記飛翔体の受けを容易にしたことを特徴とする。これにより、飛翔体を受ける場合に使用して好都合である。
【００１４】
請求項９記載の発明は、請求項７又は請求項８記載の飛翔体受け具において、前記飛翔体を受け取った後に、前記補助糸を手繰り寄せることを容易にする巻取り部を有することを特徴とする。これにより、手繰り寄せが容易になる。
【００１５】
請求項１０記載の発明は、工事現場の２地点間に、作業員の落下事故を防止する親綱を張るための補助糸を通し、親綱を手繰り張設するための飛翔体を打ち出す飛翔体打出具であって、前記飛翔体を打ち出すためのスライド部とこれを滑らかにスライドするためのスライダハウジング部と前記スライド部を前記スライダハウジング部に対して引き動かすためのノブと、前記スライド部を動かしたときに圧縮又は伸張するコイルバネ部と、引き金と、前記引き金を収納する銃握り部とを有し、前記スライド部を動かしたときに前記引き金によって動く引き金先端が前記スライド部を固定し、前記引き金を引いたときに、前記引き金先端による前記スライド部の固定が外れることで、前記コイルバネ部の復元力により、前記スライド部が動いて、前記スライダハウジング部の銃口から挿入しておいた前記飛翔体を打ち出すことを特徴とする。これにより、飛翔体を飛ばすことが出来る。
【００１６】
請求項１１記載の発明は、請求項１０記載の親綱張り用飛翔体打出具において、前記スライド部と前記スライダハウジング部を間に配置し、その両側に前記スライド部と前記スライダハウジング部に平行して前記コイルバネ部を設け、前記スライド部と前記コイルバネを前記ノブに結接したことを特徴とする。これにより、簡単な構成となり、バネの強度も選択が容易となる。
【００１７】
請求項１２記載の発明は、請求項１０又は請求項１１記載の親綱張り用飛翔体打出具において、前記スライド部は、前記引き金先端がかかるための穴又は凹凸部を有することを特徴とする。これにより、スライド部の固定を確実に出来る。
【００１８】
請求項１３記載の発明は、工事現場の２地点間に、作業員の落下事故を防止する親綱を張るための補助糸を通し、親綱を手繰り張設するための親綱張りシステムであって、前記補助糸を結接する補助糸結接部を有する芯棒と飛翔を助ける矢先部を有する飛翔体と、前記飛翔体を飛ばす飛翔体打出具と、前記飛翔体を飛ばした後に、前記親綱を結接する結接部を有し前記補助糸を挟み固定する補助糸クランパとを有することを特徴とする。これにより、親綱張りを容易に出来る。
【００１９】
請求項１４記載の発明は、請求項１３記載の親綱張りシステムにおいて、前記飛翔体を受け取るための飛翔体受け具を有することを特徴とする。これにより、飛翔体の受けを容易に出来る。
【発明の効果】
【００２０】
以上のように構成されているので、本発明による親綱付設用飛翔体打出具、飛翔体、飛翔体受け具、補助糸クランパ、補助糸クランパ用のカバーを用いて効果的な親綱張りシステムを構成することができる。
【発明を実施するための最良の形態】
【００２１】
本発明による親綱付設用飛翔体打出具、飛翔体、飛翔体受け具、補助糸クランパ、及び補助糸クランパ用のカバー、これを用いた親綱張りシステムでは、補助糸を伴った飛翔体と飛翔体を飛ばす飛翔体打出具、飛翔体を安全確実に受けるための飛翔体受け具、張設する親綱を固定する親綱固定部と補助糸をずれないように固定する補助糸固定部をもつ補助糸クランパとを有するものであって、狭い高所という危険現場での使用に整合するように、安全、簡単設置、簡単取外を図った改善を行った手段となっている。以下、実施例を用い説明する。
【００２２】
図１は、本発明による親綱張りシステムの一実施態様を示す図である。このシステムを使用して親綱を張ることを説明する。作業現場の２地点間で親綱（作業者の落下を防止し、落下してもすぐ止まるように支えにする綱）１００を張設する前に、作業員Ａは、２地点の他の地点に向けて、飛翔体１０１を打ち出す。飛翔体１０１は、略まっすぐ飛んで、他の地点に到達し、他の地点にある飛翔体受け具１０２に受けとめられる。他の地点にいる作業員Ｂは、この飛翔体１０１を受け取る。飛翔体１０１には、釣りのテグス糸のような強い補助糸１０３がついていて、この補助糸１０３は、２地点の距離をカバーして余りあるように長くリール１０４に巻設されている。飛翔体１０１を飛ばすのは、飛翔体打出具１０５であり、これには、リール１０４がついている。作業員Ａは、飛翔体１０１が飛翔体受け具１０２で受け止められたことを確認した後、補助糸１０３を補助糸クランパ１０６に数回巻いて、補助糸クランパ１０６の蓋を閉じ、補助糸１０３に補助糸クランパ１０６を固定する。一方、補助糸クランパ１０６の端には、親綱１００を接続してあるので、作業員Ｂは、補助糸を手繰り寄せることで、補助糸クランパ１０６を受け取り、親綱を手にすることができる。このようにして、親綱を２地点間に渡し、固定して張設することが完了する。勿論、作業員Ｂ側で補助糸クランパ１０６を補助糸１０３につけ、作業員Ａ側が補助糸１０３を手繰り寄せることでも同様である。勿論、飛翔体１０１と補助糸１０３と飛翔体打出具１０５のみでも、システムは可能であるが、補助糸クランパ１０６は、補助糸と親綱１００をワンタッチで結合し、外せるので、狭い高所での危険空間での処理に大変好都合である。同様に、飛翔体受け具１０２も狭い場所で作業員が飛翔体１０１を手でうけとることの危険性や、通り過ぎて、他のものに絡まった飛翔体１０１を正常な状態で受け取るまでの不都合を考慮すれば、安全、かつ大変便利な受け具である。かつ、後述するように、飛翔体受け具１０２は場所の大きさに応じて、かつワンタッチでの簡単な取り付け取り外し、分解が可能な形態となっている。以下、各部分を説明する。
【００２３】
図２は、本発明による親綱付設用飛翔体打出具、飛翔体、飛翔体受け具、補助糸クランパ及び補助糸クランパ用のカバー、これを用いた親綱張りシステムの飛翔体の部分の一実施態様を説明する図である。２−Ａでは、全体が飛翔体２００となっているが、心棒２０１の先端２０２は、飛翔体打出具１０５により力を受けて打ち出される端面である。この近傍には補助糸１０３を取り付ける穴等の補助糸取付部２０３があり、心棒２０１の左側端には、矢先部２０４がある。この例では、飛翔体２００がまっすぐ飛ぶように、矢先部２０４に斜めに付設した羽根があり、これにより矢先部２０４が回転して、直進性のよさを得ている。尚、矢先部２０４が回転しても、心棒２０１が回転しないように、両者間にはボールベアリングが入った回転結合がなされている。勿論、矢先部２０４の回転は必須ではない。又、先端部には、さらに  飛翔体受け具に当たったときの衝撃を少なくするため、バネを付設することも可能である。矢先部２０４の最先端は、安全のため、衝撃を少なくするため、形状も滑らかな曲面を有するほうが良い。飛翔体２００は飛んでいる間は、後ろから補助糸１０３により軽く水平に引力を受け、飛翔体２００の自重により下に引力を受ける。水平に飛ぶ距離を長くするには、強い力で水平に打ち出すか、少し上向きに打ち出すか、浮力を与えるかの手段が取れる。フリスビーは、その面積で受ける風圧による浮力で自重をカバーして、長い距離水平にとぶ遊び道具である。２−Ｂでは、矢先部２０４の部分に風圧による浮力を受ける浮揚体２０５を設けた例であるが、図面の関係上、浮揚体２０５を小さく描いてある。浮揚体２０５は、飛翔体２００の速度において飛翔体２００の自重に見合う浮力を得るほどの大きさが必要である。又、心棒２０１と浮揚体２０５は、浮力を得る目的で、傾きを持った構成としても良い。
【００２４】
図３は、本発明による親綱付設用飛翔体打出具、飛翔体、飛翔体受け具、補助糸クランパ及び補助糸クランパ用のカバー、これを用いた親綱張りシステムの飛翔体打出具の部分の一実施態様を説明する図である。飛翔体打出具１０５としては、各種の構成が取ることができる。アーチェリーのような弓の形態では大きくなるため、高所での作業に使用するには不都合であるので、銃のような手段がよい。飛翔体を打ち出すには、圧縮空気や火薬を利用することもできるが、高々２０ｍ程度を飛ばすだけにはメンテナンスに手がかからないほうが良い。この点で、バネによる復元力を使うのが良いが、板バネは面積が取るので、弓の形態となってしまうため、螺旋状に巻かれたコイルバネの復元力を用いることが好都合である。背景技術で説明したように、銃口側から掛け金がかかる位置まで飛翔体を押し込むやり方では、押し込む途中段階でも飛翔体が飛び出す危険性があるので、コイルバネの復元力を引き出すためのコイルバネに変形を引き出す力をかけるのは、飛翔体でなくしたい。尚、このようにコイルバネを圧縮する方式は、圧縮の距離に制限ができるので、同じバネ定数に対して大きい飛距離を得るには不得手である。そして飛翔体とは無関係にコイルバネに掛け金がかかる位置まで変形を起こし、コイルバネが安定してから飛翔体を挿入したい。これには、コイルバネを１本使った手段と複数本使った手段が利用できる。複数本使った手段では、飛翔体を打ち出すためのスライド部とコイルバネ部を別の場所に形成でき、構造上簡単になる。このため、コイルバネの取り付け、外し、交換などのメンテナンスが容易である。組み立ても単純になる。コイルバネは複数本を並列に接続すれば、実効的なバネ定数を変えることができるので、コイルバネの本数によっても打ち出しの強さを自在に作成することができる。一方、コイルバネを１本では、一般にスライド部とコイルバネ部は同心で構成しなければならず、どちらかが一方側の内側に内包されることになる。組み立てがやや前者に比べ複雑となる。コイルバネは、１本なので、バネ定数を選ぶ必要がある。先ず、図３では、２本のコイルバネで構成した飛翔体打出具の実施例を説明する。３−Ａには、飛翔体打出具３００を示している。銃身ノブ３０１を引き出すと、これに心棒３０２で接続したスライダ３０３がスライダハウジング３０４の内面に沿って移動する、スライダ３０３の下面には、穴、又はギザギザの凹凸部３０５が設けられていて、そこに引き金３０６の引き金先端が嵌まり込んで、スライダ３０３が固定される。打ち出す場合には、飛翔体１０１を銃口部３０７から挿入して、狙いをつけて、引き金３０６を引けば、スライダ３０３の固定が外れる、銃身ノブ３０１は、図に見るように、２箇所でコイルバネ３０８Ａ、３０８Ｂに繋がっているので、引き出された段階で、コイルバネ３０８Ａ、３０８Ｂが伸び変形し、スライダ３０３の固定が外れた段階で復元力により、もとに戻り、従って、スライダ３０３がスライダハウジング３０４の内面に沿って移動し、スライダ３０３の先端が飛翔体１０１を押して打ち出しを行う。尚、３０９は、銃を握るための銃握りの部分であり、３１０は、狙いを定めるための補助具である。３１１は、銃本体のカバーである。３−Ｂは、銃本体のカバー３１１を外し、銃の握り３０９と引き金３０６の図を除いた銃本体部のみを示している。銃身ノブ３０１には、コイルバネ３０８Ａ、３０８Ｂの接続部３１７からコイルバネ３０８Ａ、３０８Ｂを覆うようにコイルカバー３１５が伸びている。スライダハウジング３０４の両端には、前側固定板３１２と後側固定板３１３が固定されていて、前側固定板３１２には、コイルバネ３０８Ａ、３０８Ｂの先端をつなぐバネ接続部３１４と、銃口部３０７の穴がある。一方、後側固定板３１３には、スライダハウジング３０４の穴と、コイルカバー３１５が通るスライド補助穴３１６がある。このため、スライド補助穴３１６をコイルカバー３１５がひっかかりなくスライドできるので、滑らかに銃身ノブ３０１、従って、スライダ３０３が移動できる。尚、スライダ３０３とスライダハウジング３０４のかみ合う部分の形状は、図のような方形の必要はなく、円形（スライダが円柱状）でも、他の形状でもよい。３−Ｃには、スライダ３０３と心棒３０２と銃握り３０９と引き金３０６を示している。引き金３０６の引き金先端３２０とスライダ３０３の凹凸部３０５の関係を示すものとなっている。スライダ３０３をスライドすると、凹凸部３０５が引き金３０６の引き金先端３２０まで移動すると、引き金先端３２０が凹凸部３０５に嵌ってスライダ３０３が固定されることになる。この状態を凹凸部３０５の形状が見える断面で表すと、３−Ｄのようになっていて、スライダ３０３の凹凸部３０５に引き金３０６の引き金先端３２０が引っかかっている状態が示してある。引き金３０６を引くと、引き金の回転軸３２１を中心に引き金が回転し、引き金先端３２０がスライダ３０３の凹凸部３０５から外れる。３−Ｅでは、引き金の構造の違った構成を示している。引き金３０６を引くと、回転軸を中心に引き金が回転し、引き金先端が回転ホイール３２２の穴から外れて、回転ホイール３２２が回転し、これに繋がった回転つめ３２３が凹凸部３０５から外れるようになっている。３−Ｆは、引き金３０６が二つあり、その先端が凹凸部３０５にひっかかる構造になっている。同じ凹凸でなくともよい。このようにすると、人差し指と中指の両方が引き金を引かない限り、スライダ３０３は移動しないので、安全装置としての機能を持っている。尚、図３のように、コイルバネ３０８Ａ、３０８Ｂを伸張したときの復元力を使うほうが、圧縮したときの復元力を使う場合よりも、安定な動作と大きい飛距離を得ることができる。コイルバネの圧縮では、コイルバネのコイルの線径からして圧縮できる距離には制限があり、適当なバネガイドを設けないとバネが横に曲がるために有効な圧縮ができないで、復元も不安定になる。これに対して、コイルバネの伸張では、弾性の限界内では、横への曲がりもなく、いくらでも伸張の距離が取れるので、大きい飛距離を得る事ができる利点を持っている。尚、バネ定数の目安は、次のようにして計算できる。速度ｖで水平に打ち出された飛翔体（質量ｍ）は、重力（加速度ｇ＝９．８ｍ／s＾２）により、時刻ｔ後にΔ（＝ｇ（ｔ＾２）／２）の距離下がる。その時刻は、ｔ＝√（２Δ／ｇ）となる。この時刻内に、飛翔体は水平方向にＬ（＝ｖ���）の距離進む。従って、距離Ｌを進むためには、
速度ｖ（＝Ｌ／ｔ）は、Ｌ√（ｇ／（２Δ））の飛び出し速度を与えなければならない。
コイルバネをｘの距離だけ伸張したときに、バネの有するエネルギーは、バネ定数をｋとして、ｋ（ｘ＾２）／２であるが、この状態からコイルバネを復元させたとき、伸張量（ｘ）が０に復元したとき速度が最大の速度となり、前記のエネルギーが運動エネルギーに変換される。従って、コイルバネと飛翔のための移動軸の合計の質量をＭとすれば、飛翔体ｍとの合計の質量（ｍ＋Ｍ）のものが、ｖの速度で移動することになる。その運動エネルギーは、（（ｍ＋Ｍ）ｖ＾２）／２となるので、前記のエネルギーに等しいとおいて、
（（ｍ＋Ｍ）ｖ＾２）／２＝ｋ（ｘ＾２）／２
従って、
ｋ（ｘ＾２）＝（ｍ＋Ｍ）ｖ＾２＝（ｍ＋Ｍ）ｇ／（２Δ）Ｌ＾２
一例として、ｍ＝０．０２ｋｇ、Ｍ＝０．０２ｋｇ、Δ＝０．３０ｍ、Ｌ＝３０ｍ
ｘ＝０．１ｍとしたときは、ｋ＝２９．４Ｎ／ｍｍとなり、バネ定数１５Ｎ／ｍｍのバネ２本を並列にして実現できる。実際には、途中のロスを考慮して、これより大きい定数のものを選ぶか、伸張量ｘを更に大きく取れるようにすればよい。尚、飛翔体を糸で接続して、この糸をリールに巻いた場合は、リールの糸の抵抗が飛翔体を減速する向きに引くことで、飛距離Ｌが小さくなるが、リール抵抗が小さいので、無視することができる。
【００２５】
図４は、本発明による親綱付設用飛翔体打出具、飛翔体、飛翔体受け具、補助糸クランパ及び補助糸クランパ用のカバー、これを用いた親綱張りシステムの飛翔体打出具の部分の別の一実施態様を説明する図である。コイルバネ１本の構成の場合である。４−Ａでは、スライダノブ４０１を引くと、コイルバネが圧縮し、スライダ４０２が移動する。スライダ４０２の内部にはコイルバネ４０３がある。スライダ４０２の下側の部分には引き金を止める引金止穴４０５があって、ここに引き金先端４０６がはめ込まれて、スライダ４０２が固定される。引き金を引くと引き金先端４０６が外れるようになっている。引金止穴４０５を複数個設けると飛翔の強弱を変更できる。その代わり、穴部を多数設けるには、スライダ４０２が長くなってしまう。４−Ｂでは、スライダノブ４０１を引くと、コイルバネが伸張し、スライダ４０２が移動する。スライダ４０２の下側の部分には引き金を止める引金止穴４０５があるが、引金止穴４０５は１個のみ設置することで、スライダ４０２を小さくし軽量に作ってある。このような場合に対応して、飛翔の強弱を変更できるように複数の引き金位置を構成することができる。ここでは、銃の握り４０９が前後にスライドでき、これに伴って、引き金４０６も移動できる。すなわち、Ａ、Ｂ・・・Ｈ、Ａで囲まれた部分がスライドし、銃本体に刻まれた複数の止め穴４１０に銃の握り４０９の側にある突起が嵌って固定される。どの位置で固定されるかで、引き金４０６の位置が変わるので、複数の飛翔の強弱を得ることが可能である。
【００２６】
図５は、本発明による親綱付設用飛翔体打出具、飛翔体、飛翔体受け具、補助糸クランパ及び補助糸クランパ用のカバー、これを用いた親綱張りシステムの飛翔体受け具の部分の一実施態様を説明する図である。５−Ａは、作業者が手で持って使うものである。Ｕ字型体５０１には飛翔体を受けるための網５０２が張ってある。運良く網５０２で飛翔体を受け止められればよいが、飛翔体は完全にまっすぐ飛ぶことはなく、放物線を描いて飛ぶ。従って、網を狙って打ち出すと、網の下を通過することになり、網の上を狙えば、場合によっては網の上を超えてゆく場合がある。これを作業者が咄嗟に網の高さを調整して受け取る必要があり、器用さが必要である。網の上を通り過ぎたものを引き寄せる場合は、ひっかかりがなければ簡単であるが、一般には、作業場所は周辺に何があるか分からないほど、ひっかかりの危険性がある。このような不都合を排除できるのが、簡易設置型の飛翔体受け具であり、５−Ｂに見ることができる。作業者は、現場に２本のポール５１０Ａ、５１０Ｂを持ち込む。２本のポール間には、飛翔体受け膜５１１が張ってあり、巻き取られている。２本のポールを適当な間隔に離すと巻き取られていた飛翔体受け膜５１１が自動的に配置される。ポール５１０Ａ、５１０Ｂに足５１２をつけて立たせ、固定バー５１３で簡単に固定する。ポール５１０Ａ、５１０Ｂに４本の棒を差し込んで、これに網５１４（網間隔は飛翔体がここを通過できれば、大きさは自由である）を取り付ける。網５１４と飛翔体受け膜５１１の間隔は、飛翔体の長さより大きいことが必要である。こうすると、飛翔体は網５１４の穴を通過した後、飛翔体受け膜５１１に当たり反発するが、網５１４の通過してきた同じ穴を通過することはほとんどなく、網５１４と飛翔体受け膜５１１の間に落ちることになる。作業者は、網５１４の穴から補助糸を引く形で、飛翔体を取り出すことができる。これなら、適度に大きな面積が取れるので、飛翔体を確実に受け取ることができる。しかも、現場での取り付け分解、運搬も容易である。尚、５０３は、補助糸を手繰り寄せる場合に巻き取りを助ける巻取り補助具である。
【００２７】
図６は、本発明による親綱付設用飛翔体打出具、飛翔体、飛翔体受け具、補助糸クランパ及び補助糸クランパ用のカバー、これを用いた親綱張りシステムの補助糸クランパの部分の一実施態様を説明する図である。６−Ａでは、ゴムのような摩擦体６０１を挟んだ２枚の板６０２が向かい合って固定できるようになっている。簡単に固定できるように、左側端は、管の中に棒を通し、２枚の板が管６０３と棒６０４のそれぞれに固定されているので、管と棒の位置を中心にして、両方の板は回転自在の関係にある。両方の板の右端には、お互いに噛み合う関係にはめ込み部６０５Ａ、６０５Ｂが作ってあるので、パチンと嵌ることができる。６−Ｂは両方の板を閉じた状態を示している。６−Ｃでは、飛翔体が相手に届いた後に、補助糸クランパに補助糸１０３を数回巻いてから、両方の板を閉じる。こうすると、摩擦体６０１と補助糸１０３は摩擦により滑らなくなり固定されるので、補助糸１０３を引くと、補助糸クランパ１０６も引き寄せられる。補助糸クランパ１０６には親綱が固定されているので、親綱を所望の位置に届けることができる。６−Ｄは、補助糸クランパ１０６を引き寄せる場合に、途中での引っかかりを防ぐために、進行方向に流線型にした補助糸クランパ用カバー６０７を設けた例を示している。このようにすると滑らかにすべり引っかかりなく、移動できることになる。補助糸クランパ用カバー６０７は、補助糸クランパを後から通せるように割れ目のついた形状になっている。
【産業上の利用可能性】
【００２８】
以上の様に、本発明による親綱付設用飛翔体打出具、飛翔体、飛翔体受け具、補助糸クランパ及び補助糸クランパ用のカバー、これを用いた親綱張りシステムは、工事現場の高所に親綱を安全、かつ簡単に張ることができるので、産業上大きな利用性を有している。
【図面の簡単な説明】
【００２９】
【図１】本発明による親綱張りシステムの一実施態様を示す図である。
【図２】本発明による親綱付設用飛翔体打出具、飛翔体、飛翔体受け具、補助糸クランパ及び補助糸クランパ用のカバー、これを用いた親綱張りシステムの飛翔体の部分の一実施態様を説明する図である。
【図３】本発明による親綱付設用飛翔体打出具、飛翔体、飛翔体受け具、補助糸クランパ及び補助糸クランパ用のカバー、これを用いた親綱張りシステムの飛翔体打出具の部分の一実施態様を説明する図である。
【図４】本発明による親綱付設用飛翔体打出具、飛翔体、飛翔体受け具、補助糸クランパ及び補助糸クランパ用のカバー、これを用いた親綱張りシステムの飛翔体打出具の部分の別の一実施態様を説明する図である。
【図５】本発明による親綱付設用飛翔体打出具、飛翔体、飛翔体受け具、補助糸クランパ及び補助糸クランパ用のカバー、これを用いた親綱張りシステムの飛翔体受け具の部分の一実施態様を説明する図である。
【図６】本発明による親綱付設用飛翔体打出具、飛翔体、飛翔体受け具、補助糸クランパ及び補助糸クランパ用のカバー、これを用いた親綱張りシステムの補助糸クランパの部分の一実施態様を説明する図である。
【図７】従来の発明の例である親綱張設用の操作棒を示す図である。
【符号の説明】
【００３０】
１００  親綱
１０１、２００  飛翔体    
１０２  飛翔体受け具
１０３  補助糸
１０４  リール
１０５、３００  飛翔体打出具
１０６  補助糸クランパ
２０１  心棒
２０２  先端
２０３  補助糸取付部
２０４  矢先部
２０５  浮揚体
３０１  銃身ノブ
３０２  心棒
３０３、４０２  スライダ
３０４  スライダハウジング
３０５  凹凸部
３０６  引き金
３０７  銃口部
３０８Ａ、３０８Ｂ、４０３  コイルバネ
３０９  銃握り
３１０  狙いを定めるための補助具
３１１  銃本体のカバー
３１２  前側固定板
３１３  後側固定板
３１４  バネ接続部
３１５  コイルカバー
３１６  スライド補助穴
３２０、４０６  引き金先端
３２１  引き金の回転軸
３２２  回転ホイール
３２３  回転つめ
４０１  スライダノブ
４０５  引金止穴
４０９  銃の握り
４１０  止め穴
５０１  Ｕ字型体
５０２  網
５０３  巻取り補助具
５１０Ａ、５１０Ｂ  ポール  
５１１  飛翔体受け膜
５１２  足
５１３  固定バー
５１４  網
６０１  摩擦体
６０２  板
６０３  管
６０４  棒
６０５Ａ、６０５Ｂ  はめ込み部
【図１】
2008223308.tif 000003
【図２】
2008223308.tif 000004
【図３】
2008223308.tif 000005
【図４】
2008223308.tif 000006
【図５】
2008223308.tif 000007
【図６】
2008223308.tif 000008
【図７】
2008223308.tif 000009